(57)【特許請求の範囲】
【請求項１】
遊技領域が区画形成された遊技盤と、遊技球を貯留するための球貯留皿と、該球貯留皿から球発射位置へ遊技球を供給するための傾斜流路と、該傾斜流路を流下する遊技球を球発射位置へ１個ずつ供給する球送り部材と、該球送り部材により球発射位置に供給された遊技球を遊技領域へ発射する発射装置と、を備えた遊技機において、
前記傾斜流路は、当該傾斜流路の両側に、遊技球の側部を下方から支持して転動させるための球支持突条部を傾斜流路の傾斜方向に沿って傾斜した状態で備え、当該傾斜流路へ流入する前には下部が支持されて転動していた遊技球を両球支持突条部間に支持して流下させることにより、単位距離を流下する間の遊技球の回転数が当該傾斜流路への流入前よりも増加するように構成され、
前記傾斜流路のうち前記球支持突条部よりも上方または下方には、前記球支持突条部上を流下する遊技球に接触可能な球磨き部材を配置するとともに、
前記球磨き部材を移動して、球支持突条部上の遊技球に接触する接触状態と、球支持突条部上の遊技球から離した非接触状態とに変換可能な駆動機構を備え、
前記球送り部材は、遊技球を保持可能な球保持部を備え、該球保持部に遊技球を１個保持した状態で傾斜流路を遮断し、遊技球を球発射位置へ供給することを停止する球供給停止状態と、球保持部に保持した遊技球のみを流下して球発射位置に供給するが、当該球送り部材よりも上流側に配置された遊技球の流下を阻止する球供給状態とに変換可能とし、
前記球送り部材を球供給状態に設定して傾斜流路内の遊技球が滞留している状態では、球磨き部材を非接触状態に設定し、
前記球送り部材を球供給状態から球供給停止状態へ変換して傾斜流路内の遊技球が球送り部材側へ流下し始めると、駆動機構を駆動して球磨き部材を非接触状態から接触状態へ変換することを特徴とする遊技機。
【請求項２】
遊技領域が区画形成された遊技盤と、遊技球を貯留するための球貯留皿と、該球貯留皿から球発射位置へ遊技球を供給するための傾斜流路と、該傾斜流路を流下する遊技球を球発射位置へ１個ずつ供給する球送り部材と、該球送り部材により球発射位置に供給された遊技球を遊技領域へ発射する発射装置と、を備えた遊技機において、
前記傾斜流路を回転しながら流下する遊技球に接触可能な球磨き部材と、
該球磨き部材を移動して、傾斜流路内の遊技球に接触する接触状態と、傾斜流路内の遊技球から離した非接触状態とに変換可能な駆動機構と、を設け、
前記球送り部材は、遊技球を保持可能な球保持部を備え、該球保持部に遊技球を１個保持した状態で傾斜流路を遮断し、遊技球を球発射位置へ供給することを停止する球供給停止状態と、球保持部に保持した遊技球のみを流下して球発射位置に供給するが、当該球送り部材よりも上流側に配置された遊技球の流下を阻止する球供給状態とに変換可能とし、
前記球送り部材を球供給状態に設定して傾斜流路内の遊技球が滞留している状態では、球磨き部材を非接触状態に設定し、
前記球送り部材を球供給状態から球供給停止状態へ変換して傾斜流路内の遊技球が球送り部材側へ流下し始めると、駆動機構を駆動して球磨き部材を非接触状態から接触状態へ変換することを特徴とする遊技機。
【請求項３】
前記駆動機構は、球磨き部材を回転状態の遊技球のうち球磨き部材が接触する部分の移動方向とは反対方向へ移動して遊技球を制動する制動動作を実行可能とし、
前記球送り部材が球供給停止状態から球供給状態へ変換する直前に、球磨き部材の接触状態を維持するとともに、制動動作を実行するように構成されたことを特徴とする請求項１または請求項２に記載の遊技機。
【発明の詳細な説明】
【技術分野】
【０００１】
本発明は、遊技球を流下させる傾斜流路を備えたパチンコ遊技機等の遊技機に関する。
【背景技術】
【０００２】
従来の遊技機、例えば、パチンコ遊技機においては、遊技球を所定箇所まで流下させて案内（誘導）するための傾斜流路が複数配設されている。そして、傾斜流路を区画する区画構成要素（例えば、傾斜流路の側壁、底部、あるいは底部と側壁との隅部）に開口溝を開設し、この開口溝から異物（例えば、ごみや埃）を遊技球と分別して取り除けるように構成することが提案されている（例えば、特許文献１参照）。
【特許文献１】特開平５−３０９１６９号公報
【発明の開示】
【発明が解決しようとする課題】
【０００３】
ところで、上記した特許文献の傾斜流路では、ごみや埃等を遊技球の流下（転動）により遊技球から簡単に離脱させ、開口溝から落下させて取り除くことができるが、手垢や油等の汚れを簡単に取り除くことができない。そして、手垢や油等の汚れは、遊技球の流下の妨げとなり易く、球詰まりを引き起こす原因となり易い。さらに、汚れが付着した状態で遊技球が遊技領域内に流入すると、遊技領域に遊技球の汚れが移って付着してしまい、遊技の結果に悪影響を及ぼしたり、遊技領域が見苦しくなったりする虞がある。
【０００４】
そこで、本発明は、上記の事情に鑑みてなされたものであり、その目的は、遊技球に付着して取り除き難い手垢や油等の汚れを簡単に取り除くことができる遊技機を提供しようとするものである。
【課題を解決するための手段】
【０００５】
本発明は、上記目的を達成するために提案されたものであり、請求項１に記載のものは、遊技領域が区画形成された遊技盤と、遊技球を貯留するための球貯留皿と、該球貯留皿から球発射位置へ遊技球を供給するための傾斜流路と、該傾斜流路を流下する遊技球を球発射位置へ１個ずつ供給する球送り部材と、該球送り部材により球発射位置に供給された遊技球を遊技領域へ発射する発射装置と、を備えた遊技機において、
前記傾斜流路は、当該傾斜流路の両側に、遊技球の側部を下方から支持して転動させるための球支持突条部を傾斜流路の傾斜方向に沿って傾斜した状態で備え、当該傾斜流路へ流入する前には下部が支持されて転動していた遊技球を両球支持突条部間に支持して流下させることにより、単位距離を流下する間の遊技球の回転数が当該傾斜流路への流入前よりも増加するように構成され、
前記傾斜流路のうち前記球支持突条部よりも上方または下方には、前記球支持突条部上を流下する遊技球に接触可能な球磨き部材を配置するとともに、
前記球磨き部材を移動して、球支持突条部上の遊技球に接触する接触状態と、球支持突条部上の遊技球から離した非接触状態とに変換可能な駆動機構を備え、
前記球送り部材は、遊技球を保持可能な球保持部を備え、該球保持部に遊技球を１個保持した状態で傾斜流路を遮断し、遊技球を球発射位置へ供給することを停止する球供給停止状態と、球保持部に保持した遊技球のみを流下して球発射位置に供給するが、当該球送り部材よりも上流側に配置された遊技球の流下を阻止する球供給状態とに変換可能とし、
前記球送り部材を球供給状態に設定して傾斜流路内の遊技球が滞留している状態では、球磨き部材を非接触状態に設定し、
前記球送り部材を球供給状態から球供給停止状態へ変換して傾斜流路内の遊技球が球送り部材側へ流下し始めると、駆動機構を駆動して球磨き部材を非接触状態から接触状態へ変換することを特徴とする遊技機である。
【０００７】
請求項２に記載のものは、遊技領域が区画形成された遊技盤と、遊技球を貯留するための球貯留皿と、該球貯留皿から球発射位置へ遊技球を供給するための傾斜流路と、該傾斜流路を流下する遊技球を球発射位置へ１個ずつ供給する球送り部材と、該球送り部材により球発射位置に供給された遊技球を遊技領域へ発射する発射装置と、を備えた遊技機において、
前記傾斜流路を回転しながら流下する遊技球に接触可能な球磨き部材と、
該球磨き部材を移動して、傾斜流路内の遊技球に接触する接触状態と、傾斜流路内の遊技球から離した非接触状態とに変換可能な駆動機構と、を設け、
前記球送り部材は、遊技球を保持可能な球保持部を備え、該球保持部に遊技球を１個保持した状態で傾斜流路を遮断し、遊技球を球発射位置へ供給することを停止する球供給停止状態と、球保持部に保持した遊技球のみを流下して球発射位置に供給するが、当該球送り部材よりも上流側に配置された遊技球の流下を阻止する球供給状態とに変換可能とし、
前記球送り部材を球供給状態に設定して傾斜流路内の遊技球が滞留している状態では、球磨き部材を非接触状態に設定し、
前記球送り部材を球供給状態から球供給停止状態へ変換して傾斜流路内の遊技球が球送り部材側へ流下し始めると、駆動機構を駆動して球磨き部材を非接触状態から接触状態へ変換することを特徴とする遊技機である。
【０００８】
請求項３に記載のものは、前記駆動機構は、球磨き部材を回転状態の遊技球のうち球磨き部材が接触する部分の移動方向とは反対方向へ移動して遊技球を制動する制動動作を実行可能とし、
前記球送り部材が球供給停止状態から球供給状態へ変換する直前に、球磨き部材の接触状態を維持するとともに、制動動作を実行するように構成されたことを特徴とする請求項１または請求項２に記載の遊技機である。
【発明の効果】
【００１３】
本発明によれば、以下のような優れた効果を奏する。
請求項１に記載の発明によれば、遊技領域が区画形成された遊技盤と、遊技球を貯留するための球貯留皿と、該球貯留皿から球発射位置へ遊技球を供給するための傾斜流路と、該傾斜流路を流下する遊技球を球発射位置へ１個ずつ供給する球送り部材と、該球送り部材により球発射位置に供給された遊技球を遊技領域へ発射する発射装置と、を備えた遊技機において、傾斜流路は、当該傾斜流路の両側に、遊技球の側部を下方から支持して転動させるための球支持突条部を傾斜流路の傾斜方向に沿って傾斜した状態で備え、当該傾斜流路へ流入する前には下部が支持されて転動していた遊技球を両球支持突条部間に支持して流下させることにより、単位距離を流下する間の遊技球の回転数が当該傾斜流路への流入前よりも増加するように構成され、傾斜流路のうち球支持突条部よりも上方または下方には、球支持突条部上を流下する遊技球に接触可能な球磨き部材を配置したので、傾斜流路を流下する遊技球の回転を利用して遊技球を磨くことができ、表面に付着した手垢や油等の取り除き難い汚れを簡単に取り除いて遊技球を掃除することができる。
そして、球磨き部材を移動して、球支持突条部上の遊技球に接触する接触状態と、球支持突条部上の遊技球から離した非接触状態とに変換可能な駆動機構を備えたので、球磨き部材と接触して遊技球の回転力が減衰したとしても、球磨き部材を非接触状態へ変換すれば、遊技球の回転が止まる不都合を抑えることができる。また、遊技球が傾斜流路を流下して遊技球の回転力が増加した時点で、球磨き部材を接触状態へ変換すれば、再び遊技球を磨くことができる。したがって、遊技球の流下や回転を止めることなく、遊技球を掃除することができる。
さらに、球送り部材は、遊技球を保持可能な球保持部を備え、該球保持部に遊技球を１個保持した状態で傾斜流路を遮断し、遊技球を球発射位置へ供給することを停止する球供給停止状態と、球保持部に保持した遊技球のみを流下して球発射位置に供給するが、当該球送り部材よりも上流側に配置された遊技球の流下を阻止する球供給状態とに変換可能とし、球送り部材を球供給状態に設定して傾斜流路内の遊技球が滞留している状態では、球磨き部材を非接触状態に設定するので、球送り部材を球供給状態から球供給停止状態へ変換したときに、遊技球を球保持部へ向けて流下し易くなり、遊技球の回転を促進することができる。
また、球送り部材を球供給状態から球供給停止状態へ変換して傾斜流路内の遊技球が球送り部材側へ流下し始めると、駆動機構を駆動して球磨き部材を非接触状態から接触状態へ変換するので、十分に回転した状態の遊技球に球磨き部材を接触させることができ、遊技球の掃除を効率よく行うことができる。
【００１４】
請求項２に記載の発明によれば、遊技領域が区画形成された遊技盤と、遊技球を貯留するための球貯留皿と、該球貯留皿から球発射位置へ遊技球を供給するための傾斜流路と、該傾斜流路を流下する遊技球を球発射位置へ１個ずつ供給する球送り部材と、該球送り部材により球発射位置に供給された遊技球を遊技領域へ発射する発射装置と、を備えた遊技機において、傾斜流路を回転しながら流下する遊技球に接触可能な球磨き部材と、該球磨き部材を移動して、傾斜流路内の遊技球に接触する接触状態と、傾斜流路内の遊技球から離した非接触状態とに変換可能な駆動機構と、を設けたので、球磨き部材と接触して遊技球の回転力が減衰したとしても、球磨き部材を非接触状態へ変換すれば、遊技球の回転が止まる不都合を抑えることができる。また、遊技球が傾斜流路を流下して遊技球の回転力が増加した時点で、球磨き部材を接触状態へ変換すれば、再び遊技球を磨くことができる。したがって、遊技球の流下や回転を止めることなく、遊技球を掃除することができる。
さらに、球送り部材は、遊技球を保持可能な球保持部を備え、該球保持部に遊技球を１個保持した状態で傾斜流路を遮断し、遊技球を球発射位置へ供給することを停止する球供給停止状態と、球保持部に保持した遊技球のみを流下して球発射位置に供給するが、当該球送り部材よりも上流側に配置された遊技球の流下を阻止する球供給状態とに変換可能とし、球送り部材を球供給状態に設定して傾斜流路内の遊技球が滞留している状態では、球磨き部材を非接触状態に設定するので、球送り部材を球供給状態から球供給停止状態へ変換したときに、遊技球を球保持部へ向けて流下し易くなり、遊技球の回転を促進することができる。
そして、球送り部材を球供給状態から球供給停止状態へ変換して傾斜流路内の遊技球が球送り部材側へ流下し始めると、駆動機構を駆動して球磨き部材を非接触状態から接触状態へ変換するので、十分に回転した状態の遊技球に球磨き部材を接触させることができ、遊技球の掃除を効率よく行うことができる。
【００１５】
請求項３に記載の発明によれば、駆動機構は、球磨き部材を回転状態の遊技球のうち球磨き部材が接触する部分の移動方向とは反対方向へ移動して遊技球を制動する制動動作を実行可能とし、球送り部材が球供給停止状態から球供給状態へ変換する直前に、球磨き部材の接触状態を維持するとともに、制動動作を実行するように構成したので、遊技球の掃除を効率よく行いながら遊技球の流下勢を抑えることができ、遊技球が球送り部材に与える衝撃を軽減することができる。したがって、球送り部材の損傷を抑えることができ、遊技球を球発射位置へ安定して供給することができる。
【発明を実施するための最良の形態】
【００２１】
以下、代表的な遊技機であるパチンコ遊技機を例に挙げて本発明の実施の最良の形態を図面に基づき説明する。図１はパチンコ遊技機の斜視図、図２はパチンコ遊技機の下部の内部構造を示す拡大図である。
パチンコ遊技機１は、外枠（機枠あるいは本体枠）２に前面枠（内枠）３を開閉可能に軸着し、この前面枠３のベースとなる略額縁状の前面枠本体４に矩形状の遊技盤５を収納可能とし、遊技盤５の表面には、区画部材（サイドケース）７を配置して略円形状の遊技領域８を区画形成し、該遊技領域８内に表示装置や入賞口等の役物（いずれも図示せず）を配設している。また、前面枠３の前面側には、一側（図１中、左側）が軸着された透明部材保持枠９を開閉（回動）可能に設け、該透明部材保持枠９に透視可能な透明部材１０を収納し、透明部材保持枠９の裏面側には、遊技球を遊技領域８内へ案内するための縦長な発射案内路（図示せず）を形成し、透明部材保持枠９を閉じると、遊技盤５が透明部材保持枠９により覆われるとともに、透明部材１０が遊技領域８の前方に配置され、透明部材１０を通して遊技領域８を前方から視認できるように構成している。さらに、透明部材保持枠９の下方には、一側（図１中、左側）が軸着された横長な貯留皿ユニット１４を開閉（回動）可能に備え、該貯留皿ユニット１４の側方（図１中、右側方）には、後述する発射装置１７を操作するための発射操作ユニット（発射操作ハンドル）１８を備えている。
【００２２】
前面枠本体４は、矩形状の開口部を上寄りに開設した合成樹脂製枠体であり、図２に示すように、開口部の周縁に額縁状の遊技盤収納部２３を備え、遊技盤収納部２３内に遊技盤５を着脱可能な状態で収納するように構成されている。また、遊技盤収納部２３の下方にボード部２４を備え、該ボード部２４の上端に遊技盤載置部（図示せず）を設け、該遊技盤載置部に遊技盤５の下端を載置することで、遊技盤５の上下方向の位置を規制できるように構成されている。さらに、ボード部２４の一側寄り（図２中、左寄り）の上部には、前面枠本体４の裏側の球排出装置（図示せず）から供給される賞球あるいは貸球としての遊技球を貯留皿ユニット１４へ排出する球排出口２９を開設している。そして、ボード部２４の他側寄り（図２中、右寄り）、すなわち発射操作ユニット１８寄りの位置には、貯留皿ユニット１４の自由端部を係止可能なロック係止受部３０を設け、該ロック係止受部３０に貯留皿ユニット１４の自由端部を係止して貯留皿ユニット１４を前面枠本体４に対して閉状態に維持できるように構成されている。
【００２３】
貯留皿ユニット１４は、遊技球を貯留し、この貯留した遊技球を弾発して遊技盤５の遊技領域８へ発射するためのユニットである。貯留皿ユニット１４は、図３に示すように、横長なベースパネル（開閉部材）３１を備え、該ベースパネル３１の一端部（図３中、左端部）には、ベースパネル３１を前面枠本体４に対して開閉可能な状態で軸着する軸着部（ヒンジ部）３１ａを配置し、他側部（図３中、右側部）には、ロック係止受部３０に係止可能なロック係止部３１ｂを配置している。また、ベースパネル３１の前面側には、遊技球を貯留可能な皿部材３３（本発明における球貯留皿に相当）と、該皿部材３３の前側部およびベースパネル３１の前面側全体を覆うカバー部材３４と、カバー部材３４の側方を装飾するブロック状の装飾部材３６とを配置している。さらに、ベースパネル３１の後面側には、球排出装置および球排出口２９から排出された遊技球（賞球または貸球）、あるいは発射装置１７から発射されたが遊技領域８まで到達せずに発射案内路を逆流してきた遊技球（ファール球）を流下（誘導）する横長な球流下樋４０と、皿部材３３に貯留された遊技球を遊技領域８へ向けて発射する発射装置１７とを配置している。そして、ベースパネル３１のロック係止部３１ｂ側（図３中、右側）には、球抜機構４１をベースパネル３１の前後両面側に亘って配置し、該球抜機構４１を球流下樋４０の下流端（図３中、右端）に接続し、球流下樋４０を流下する遊技球を貯留皿ユニット１４の下方へ抜き出せるように構成されている。なお、発射装置１７については、後で詳細に説明する。
【００２４】
また、ベースパネル３１の軸着部３１ａ寄り（図３中、左寄り）には、略矩形状の大きなベース開口４３を開設し、カバー部材３４の裏側のうちベース開口４３に対向する部分には、後方を開放した箱状の発射支持部４４を形成し、該発射支持部４４に発射装置１７をその前側部がベース開口４３へ遊嵌するとともに前後方向へ移動可能な状態で支持している。さらに、発射支持部４４の先端部と発射装置１７との間には、発射装置１７を後方のボード部２４側へ付勢する支持付勢部材４５を備え、該支持付勢部材４５により発射装置１７の後端に設けられた位置決め係合突部４６をボード部２４に設けられた位置決め係合受部４７へ押圧して発射装置１７を前面枠本体４に対して位置決めできるように構成されている（図２参照）。
【００２５】
なお、球流下樋４０は、図３に示すように、当該球流下樋４０の本体となる横長な球流下部材５１と、球流下部材５１の下流端に接続され、当該球流下樋４０の傾斜下部となる接続流路部材５２とから構成されている。そして、球流下部材５１の上流部（図３中、左側部）を発射装置１７の上方に配置し、この上流部の前後幅を下流部の前後幅よりも広く設定して略箱状の球受部５４を形成し、該球受部５４の後部に球受開口５４ａを開設して、球受開口５４ａと球排出口２９とが連通、すなわち球流下樋４０と球排出口２９とが連通するように構成されている。また、球受部５４の上部を開放して発射案内路の下端に連通し、発射案内路を逆流してきたファール球を球受部５４に受け入れるように構成されている。さらに、球受部５４の底部には、発射装置１７と発射案内路とを連通（接続）する発射接続路５５を上下に貫通する状態で配置している。
【００２６】
そして、ベースパネル３１の上側のうちロック係止部３１ｂ寄り（図３中、右寄り）の部分には、前後に貫通する流下開口５７を開設し、球流下樋４０をベースパネル３１（貯留皿ユニット１４）の自由端側へ下り傾斜した状態、言い換えると球排出口２９の前方から流下開口５７側へ向けて下り傾斜した状態で設定している。さらに、流下開口５７の後方に接続流路部材５２を配置するとともに、該接続流路部材５２のうち流下開口５７に対向する前面部を開放して流下開口５７へ連通している。したがって、流下開口５７を介して皿部材３３の内側（詳しくは皿部材３３の内側の上部）と接続流路部材５２、すなわち球流下樋４０の傾斜下部とを連通している。また、皿部材３３の底面を流下開口５７からベース開口４３へ向けて下り傾斜する状態に設定し、発射装置１７のうちベース開口４３から前方へ臨ませた部分と、皿部材３３の内側（詳しくは皿部材３３の内側の下部）とを連通している。したがって、貯留皿ユニット１４は、球排出口２９から排出された遊技球（賞球あるいは貸球）を球流下樋４０、流下開口５７、皿部材３３を経て発射装置１７へ供給するように構成されている。なお、接続流路部材５２は、その底面を前方の流下開口５７へ向けて下り傾斜した状態に設定し、球流下部材５１を横方向へ流下してきた遊技球が前方へ流下方向を変換し、迅速に流下開口５７を通過して皿部材３３へ流入するように構成されている。
【００２７】
また、球抜機構４１は、図３に示すように、球流下樋４０の接続流路部材５２の側壁に開設された球抜開口６０と、開閉部材６１が設けられた開閉ユニット６３と、球抜開口６０を通過した遊技球を流下させる球抜流路６５（第１球抜流路６６および第２球抜流路６７）と、開閉部材６１を操作するための球抜操作機構６８と、球抜操作機構６８の操作により生じる動力を伝達可能な操作リンク機構６９とを備えて構成されている。そして、カバー部材３４の中央部分に設けられた球抜操作機構６８の操作部（球抜ボタン）６８ａを押し込み操作すると、開閉部材６１を開いて球抜開口６０と球抜流路６５とを連通し、球流下樋４０内の遊技球を貯留皿ユニット１４から抜き出すことを許容する抜き出し状態に変換する。さらに、抜き出し状態で再び操作部を押し込み操作すると、開閉部材６１を閉じて球抜開口６０と球抜流路６５とを遮断し、遊技球を貯留皿ユニット１４から抜き出しを規制する抜き出し規制状態に変換する。なお、抜き出し状態においては、遊技球は、カバー部材３４の下部に開設された球抜排出口（図示せず）から下方へ流下して貯留皿ユニット１４から抜き出される。
【００２８】
次に、発射装置１７について説明する。
貯留皿ユニット１４に装着された発射装置１７は、図４（ａ）および図５に示すように、当該発射装置１７の基部となる発射ベース７２と、当該発射装置１７に供給された遊技球を回動動作（揺動動作）により弾発する打球発射杵（発射部材）７３と、該打球発射杵７３を駆動するロータリーソレノイド７４等の回動駆動源（揺動駆動源）と、打球発射杵７３の回動範囲を規制する回動規制部７５と、打球発射杵７３に接続されたリンク機構７６とを備えて構成され、後方の前面枠本体４のボード部２４に対向する状態で配置されている。
【００２９】
発射ベース７２は、発射装置１７を貯留皿ユニット１４へ取り付けるための部材であり、後方および上方が開放された略箱形状に形成され、その内部に打球発射杵７３、回動規制部７５およびリンク機構７６を収容している。また、発射ベース７２の四隅から位置決め係合突部４６を後方の前面枠本体４へ向けて突設している。さらに、発射ベース７２の前側には矩形状のベース基部７９を備え、該ベース基部７９の前面側にロータリーソレノイド７４を配置し、該ロータリーソレノイド７４の出力軸（発射回動軸）８０を当該発射ベース７２の中央部分よりも上寄りの位置を貫通して後方へ突出し、発射回動軸８０の先端（後端）に打球発射杵７３を軸着している。
【００３０】
また、ベース基部７９の後面側のうち発射回動軸８０の突出部分よりも上方には、遊技球を１個ずつ整列した状態で流下可能な傾斜流路としての球送り流路（整列路）８４を一側（図４（ａ）中、右側）へ下り傾斜した姿勢で配置している。そして、球送り流路８４の上流端（図４（ａ）中、左端部）に、ベース基部７９を前後に貫通する貫通流路８５を球送り流路８４に連通した状態で備え、該貫通流路８５の前端部をベース開口４３から前方へ突出して皿部材３３の傾斜下端に接続し、遊技球を皿部材３３から貫通流路８５を介して球送り流路８４へ導入できるように構成されている。さらに、球送り流路８４の下流部（図４（ａ）中、右側部）を下方へ屈曲し、この屈曲部に球送り部材８８を回動自在な状態で配置している。また、球送り流路８４の下流端の側方（図４（ａ）中、右側方）には、球送り流路８４から供給された遊技球を１個保持可能な弾発球保持部８９を備え、該弾発球保持部８９に保持される遊技球の配置空間部を球発射位置９０とし、球送り流路８４から流下してきた遊技球を、球発射位置９０よりも球送り流路８４寄りの位置に設けられた球送り部材８８により球発射位置９０へ供給できるように構成されている。そして、該弾発球保持部８９の下部を開放して後述する打球発射杵７３の一部を球発射位置９０へ下方から進入可能とし、弾発球保持部８９および球発射位置９０の上方には、発射接続路５５の下端と球発射位置９０とを上下に連通可能な発射連通路９１を備え、遊技球が球発射位置９０から発射連通路９１および発射接続路５５を介して透明部材保持枠９の発射案内路へ飛翔できるように構成されている。
【００３１】
なお、球送り流路８４は、ベース基部７９に設けられ、後方へ向けて開放された樋状の流路基部８４ａと、該流路基部８４ａの開放部分を後方から閉塞する流路蓋部８４ｂとを前後に重ねて構成されている。また、球送り流路８４の前後両側には、球支持突条部９３を球送り流路８４の傾斜方向に沿って傾斜した状態で備えている。具体的には、図４（ｂ）に示すように、流路基部８４ａのベース基部７９側（すなわち前側）のうち、球送り部材８８よりも上流側に位置する部分から第１球支持突条部９３ａを球送り流路８４の内側（すなわち後方）へ向けて突設し、流路蓋部８４ｂの前面側のうち球送り部材８８よりも上流側に位置する部分から第２球支持突条部９３ｂを球送り流路８４の内側（すなわち前方）へ向けて突設している。そして、第１球支持突条部９３ａおよび第２球支持突条部９３ｂを球送り流路８４と同じ傾斜角度でベース基部７９の一側（図４（ａ）中、右側）へ下り傾斜した姿勢に設定するとともに、第１球支持突条部９３ａと第２球支持突条部９３ｂとの間隔を遊技球（詳しくは不正部材ではない正規の遊技球）の直径よりも僅かに狭く設定している。したがって、球送り流路８４は、遊技球の一側部を第１球支持突条部９３ａで支持（詳しくは第１球支持突条部９３ａで下方から支持）するとともに、他側部を第２球支持突条部９３ｂで支持（詳しくは第２球支持突条部９３ｂで下方から支持）して、両球支持突条部９３間に遊技球を載せて転動可能とし、この支持状態、言い換えると下部が両球支持突条部９３の間に沈み込んだ状態で遊技球を球送り部材８８側へ流下させる（図４（ｂ）参照）。なお、球送り流路８４内における遊技球の流下状態（挙動）については、後で詳細に説明する。
【００３２】
また、球送り部材８８は、球送り流路８４を流下する遊技球を球発射位置９０へ１個ずつ供給するための部材であり、図５に示すように、球送り軸９８を介して前方のベース基部７９および後方の流路蓋部８４ｂに回動自在な状態で軸着され、球送り軸９８の上方に遊技球を１個保持可能な球保持部（切欠部）９９を形成している。そして、球送り軸９８を中心にして後方から見て反時計方向へ回動して球保持部９９を屈曲部よりも上流側へ向けて開放すると（図５（ｂ）参照）、球保持部９９に遊技球を１個保持した状態で球送り流路８４を遮断し、遊技球を球発射位置９０へ供給することを停止する状態（球供給停止状態）に変換する。一方、後方から見て時計方向へ回動して球保持部９９を屈曲部よりも下流側へ向けて開放すると（図５（ａ）参照）、球保持部９９に保持した遊技球のみを球送り流路８４の下流端へ流下して球発射位置９０に供給するが、屈曲部よりも上流側（言い換えると球送り部材８８よりも上流側）に配置された遊技球の流下を球送り部材８８の先端部分で阻止する状態（球供給状態）に変換する。
【００３３】
打球発射杵７３は、図４（ａ）に示すように、ロータリーソレノイド７４の発射回動軸８０に止着される軸着部分から縦長な杵部１０２を球発射位置９０側（図５中、右側）へ僅かに屈曲した状態で延設し、該杵部１０２の先端部には、遊技球を弾発する弾発部１０３を球発射位置９０側（右側）へ突設している。そして、発射回動軸８０を揺動中心にして、弾発部１０３を球発射位置９０へ向けて移動（回動）する第１動作と、球発射位置９０から離れる第２動作とを行って揺動するように構成されている。具体的に説明すると、ロータリーソレノイド７４を駆動（励磁）して発射回動軸８０を図４（ａ）に示す回転方向Ａへ回転すると第１動作を行い、杵部１０２を横向き姿勢にして弾発部１０３を弾発球保持部８９の内部へ下方から進入させ、弾発球保持部８９上に保持された遊技球を上方へ弾発する弾発状態に変換する。一方、ロータリーソレノイド７４の駆動を停止（すなわち消磁）して打球発射杵７３の自重により発射回動軸８０を図４（ａ）に示す回転方向Ｂへ回転すると第２動作を行い、弾発部１０３を球発射位置９０および弾発球保持部８９の下方へ移動して杵部１０２を縦向き姿勢に変えて、次の遊技球を弾発するための弾発準備状態に変換する（図５（ａ）参照）。さらに、打球発射杵７３のうち軸着部分（発射回動軸８０）を挟んで杵部１０２と反対側には、後述する回動規制部７５に衝突可能な発射ストッパー１０４を杵部１０２の延設方向とは異なる方向（杵部１０２の延設方向から「へ」字状に屈曲した方向）へ向けて突設し、発射ストッパー１０４および杵部１０２を回動規制部７５に係合（当接）することで、打球発射杵７３の回動範囲を規制するように構成されている。
【００３４】
回動規制部（緩衝部材）７５は、該打球発射杵７３と衝突して打球発射杵７３の回動動作を規制するための厚肉な円筒状の部材であり、打球発射杵７３（杵部１０２、発射ストッパー１０４）の前後幅（厚さ）よりも十分に広い前後幅に設定され、衝撃を吸収し易い材料、例えばゴム材等の弾性体で形成されている。また、ベース基部７９の後面側のうち杵部１０２の回動範囲と発射ストッパー１０４の回動範囲との間に位置する部分、具体的には、打球発射杵７３の軸着部（発射回動軸８０）の下方であって杵部１０２を挟んで球発射位置９０とは反対側（図４（ａ）中、左側）に、ホルダ部１０６に保持された状態で配置されている。そして、回動規制部７５の中心軸と発射回動軸８０との距離を杵部１０２の延出長さおよび発射ストッパー１０４の延出長さよりも短く設定し、杵部１０２および発射ストッパー１０４が回動規制部７５の外周部に係合（当接）できるように構成されている。なお、回動規制部７５は、その左右両側部分に打球発射杵７３を当接できるように設定されている。具体的には、回動規制部７５の一側部（図４（ａ）中、左側部）の表面部分を第１規制部１０７とし、該第１規制部１０７に発射ストッパー１０４を衝突できるように構成されている。また、回動規制部７５の他側部（図４（ａ）中、右側部）、言い換えると回動規制部７５を挟んで第１規制部１０７とは反対側の表面部分を第２規制部１０８とし、該第２規制部１０８に杵部１０２を衝突できるように構成されている。
【００３５】
リンク機構７６は、打球発射杵７３と球送り部材８８とを連動させるための機構であり、打球発射杵７３に設けられた杵側リンク部材１１０と、杵側リンク部材１１０と球送り部材８８とを接続する球送りリンク部１１１とを備えて構成されている。また、球送りリンク部１１１を、杵側リンク部材１１０の球送り部材８８側（図４（ａ）中、右側）に設けられた縦長な略円弧状のカム溝部１１２と、球送り部材８８の球送り軸９８を挟んで球保持部９９とは反対側に設けられたカムフォロワ１１３とから構成している。さらに、カムフォロワ１１３を後方へ延設された円筒状の回動ころで形成し、カム溝部１１２内にカムフォロワ１１３を嵌合した状態で転動することで打球発射杵７３と球送り部材８８とを連動するように構成されている。
【００３６】
そして、発射装置１７は、球送り流路８４の下部、詳しくは球支持突条部９３よりも下方に位置する下部に、球磨き部材としてのブラシ１１６を球送り流路８４の傾斜方向（あるいは球支持突条部９３の傾斜方向）に沿って傾斜した姿勢で配置している。ブラシ１１６は、矩形状のブラシ基部１１７に導電性を有する毛１１８（例えば、カーボン粉や銅粉等の導電性素材を混入させた合成樹脂で成形された毛１１８）を複数本植設して構成された放電ブラシであり、球送り流路８４を流下する遊技球に毛１１８の先端（毛先）を接触できるように構成されている。また、当該ブラシ１１６（具体的にはブラシ１１６に植設された毛１１８の束）の傾斜方向に沿う方向の長さ（図４（ａ）中、左右長さ）を遊技球の外周よりも長く、さらには、球支持突条部９３と略同じ長さに設定し、前後幅を第１球支持突条部９３ａと第２球支持突条部９３ｂとの間隔と略同じ幅に設定している。そして、ブラシ１１６の毛１１８の先端（毛先）を球送り流路８４の上流側へ曲げて、球送り流路８４内を流下する遊技球の回転方向、詳しくは遊技球の下部の移動方向へ向けている。
【００３７】
次に、発射装置１７の作用について説明する。なお、球発射位置９０および球送り流路８４には、予め遊技球が配置されているものとする。
まず、ロータリーソレノイド７４の駆動を停止した常態では、発射装置１７は、図５（ａ）に示すように、打球発射杵７３を弾発準備状態に設定し、杵部１０２を回動規制部７５の第２規制部１０８に当接する。さらに、球送り部材８８を球供給状態（球保持部９９を球発射位置９０側へ向けた状態）に維持するとともに、球送り部材８８の回動を阻止する。
【００３８】
この状態からロータリーソレノイド７４を駆動して打球発射杵７３が第１動作（すなわち弾発部１０３を球発射位置９０へ向けて移動する動作）を行うと（図５（ｂ）参照）、リンク機構７６が打球発射杵７３の第１動作によって発生した回動力を球送り部材８８へ伝達し、この伝達力により球送り部材８８が回動して球供給状態から球供給停止状態（球保持部９９を球送り流路８４の上流側へ向けた状態）へ変換する。すると、球送り部材８８は、球保持部９９に球送り流路８４から流下した遊技球を１個保持し、この保持状態で球送り流路８４および球保持部９９内の遊技球が球発射位置９０へ流下することを阻止する。そして、この保持状態になると、その後は打球発射杵７３が更に回動しても球送り部材８８は動かない。
【００３９】
また、球送り部材８８が球保持部９９に遊技球を保持すると、球送り流路８４内の遊技球が下流の球送り部材８８側へ向けて遊技球１個分だけ流下する。このとき、球送り流路８４を流下する遊技球は、その側部を第１球支持突条部９３ａおよび第２球支持突条部９３ｂに支持され、この支持状態で回転しながら流下する。具体的には、遊技球の上部を球送り部材８８側（球送り流路８４の下流側）へ移動するとともに、下部を貫通流路８５側（球送り流路８４の上流側）へ移動する状態で回転する。すると、回転移動する遊技球の下部が球支持突条部９３の間へ向けて上方へ延設された毛１１８の一部、具体的には毛１１８の先端部のうち湾曲した側部（毛先周辺の腹部分）に擦り付けられる。したがって、球送り流路８４を流下する遊技球の回転を利用して遊技球を磨くことができ、表面に付着した手垢や油等の取り除き難い汚れを簡単に取り除いて遊技球を掃除することができる。
【００４０】
なお、球送り流路８４の上流部においては、図４（ｃ）に示すように、下部を支持されて転動してきた遊技球が球支持突条部９３により当該遊技球の側部を支持されて転動することになる。したがって、遊技球が球支持突条部９３よりも上流側から球支持突条部９３へ流下する際には、遊技球が支持される箇所と遊技球の回転中心との距離、すなわち遊技球の転がり半径Ｒが小さくなり、このため、遊技球の転動速度（流下速度）が遅くなる。この結果、遊技球の回転数、具体的には遊技球が単位距離を流下する間に回転する回転数が多くなる。言い換えると、球送り流路８４へ流入する前には下部が支持されて転動していた遊技球を両球支持突条部９３ａ，９３ｂの間に支持して流下させることにより、単位距離を流下する間の遊技球の回転数が球送り流路８４への流入前よりも増加する。このことから、流下中の遊技球の表面にブラシ１１６を繰り返し擦り付けて十分に磨くことができる。
【００４１】
さらに、毛先を球送り流路８４内の遊技球の回転方向へ向けているので、遊技球が毛先（ブラシ１１６の先端）に引っ掛かって回転が遅くなるという不都合を抑えることができ、遊技球の汚れを効率よく取り除くことができる。そして、ブラシ１１６は、放電ブラシであるので、遊技球に帯電した静電気を取り除くことができ、静電気により遊技球に付着していたゴミや埃等を効率よく取り除くことができる。また、ブラシ１１６の球送り流路８４に沿う方向の長さを遊技球の外周よりも長く設定したので、回転しながら流下する遊技球の全周を十分に磨くことができる。さらに、発射装置１７の球送り流路８４にブラシ１１６を設けたので、遊技領域８へ発射する直前に遊技球を綺麗に磨くことができる。したがって、飛翔する遊技球がゴミや埃等によりバランスを崩すことを抑えることができ、発射した遊技球のムラ飛びを抑制することができる。また、遊技領域８に遊技球の汚れが付着して遊技に悪影響を及ぼしたり、遊技領域８が見苦しくなったりすることを防止することができる。
【００４２】
引き続き打球発射杵７３が第１動作を行って弾発部１０３を球発射位置９０へ進入させると、弾発部１０３は球発射位置９０に配置された遊技球に衝突する。弾発部１０３により衝突（弾発）された遊技球は、発射連通路９１および発射接続路５５を上昇し、透明部材保持枠９の発射案内路へ向けて勢いよく飛翔する。このようにして発射装置１７は遊技球を発射する。さらに打球発射杵７３が第１動作を続けると、図５（ｂ）に示すように、発射ストッパー１０４が回動規制部７５の第１規制部１０７に衝突（係合）し、打球発射杵７３の第１動作および回動範囲が規制される。
【００４３】
打球発射杵７３の第１動作を規制したならば、ロータリーソレノイド７４を消磁して、自重により打球発射杵７３に球発射位置９０から離れる第２動作を行わせる。打球発射杵７３が第２動作を行うと、リンク機構７６が打球発射杵７３の第２動作により発生した回動力を球送り部材８８へ伝達し、この伝達力により球送り部材８８が回動して球供給停止状態から球供給状態へ戻る。すると、球送り部材８８は、球供給停止状態時に保持した遊技球１個を球送り流路８４の下流側へ流下して球発射位置９０へ供給する。これにより、次回発射する遊技球を球発射位置９０へ配置して発射準備を行う。また、球送り部材８８の一部（球保持部９９の側部）により球送り流路８４の屈曲部を遮断し、球送り流路８４の上流側の遊技球が球発射位置９０へ流下することを阻止する。さらに打球発射杵７３が第２動作を続けると、図５（ａ）に示すように、杵部１０２が緩衝部材７１の第２規制部１０８に衝突（係合）し、打球発射杵７３の第２動作が規制される。
【００４４】
ところで、上記実施形態では、発射装置１７の状態に拘らずブラシ１１６の位置を動かさずに維持したが、本発明はこれに限定されず、発射装置１７の状態変換に伴ってブラシ１１６を移動して、球送り流路８４内の遊技球に対して進退できるように構成してもよい。例えば、図６および図７に示す第２実施形態における発射装置１７は、基本的な構成は第１実施形態のものと同じであるが、ブラシ１１６を移動するための駆動機構１２０を備えている点で異なる。具体的に説明すると、球送り流路８４は、駆動機構１２０に、移動駆動源となるモータ１２１と、該モータ１２１の出力を伝達してブラシ１１６を上下方向へ移動する移動伝達部１２２とを備え、流路蓋部８４ｂのうちブラシ１１６の後方に位置する箇所を後方へ凹ませて伝達収容部１２３を形成し、該伝達収容部１２３の内側（ブラシ１１６側）に移動伝達部１２２を配置し、流路蓋部８４ｂの後面側（流路蓋部８４ｂを挟んでブラシ１１６側とは反対側）にモータ１２１を出力軸が下向きになる姿勢で配置している。
【００４５】
また、移動伝達部１２２には、複数の伝達ギア（第１伝達ギア１２５、第２伝達ギア１２６、第３伝達ギア１２７）を球送り流路８４の傾斜方向に沿って横に並べて噛合し、この噛合状態で伝達収容部１２３内に縦方向へ回動可能な状態で軸着している。さらに、第１伝達ギア１２５をブラシ１１６の一側（図６（ｂ）中、左側）の後方に配置し、第３伝達ギア１２７をブラシ１１６の他側（図６（ｂ）中、左側）の後方に配置し、第２伝達ギア１２６を第１伝達ギア１２５と第３伝達ギア１２７との間に配置している。そして、第１伝達ギア１２５には、モータ１２１の出力軸に軸着されたウォームギア１２８を噛合し、第１伝達ギア１２５のうち回動軸から外れた位置から前方のブラシ１１６へ向けて第１支持軸１３０を延設し、該第１支持軸１３０をブラシ基部１１７の一側に回動可能な状態で挿通している。また、第３伝達ギア１２７のうち回動軸から外れた位置から前方のブラシ１１６へ向けて第３支持軸１３１を延設し、該第３支持軸１３１をブラシ基部１１７の他側に回動可能な状態で挿通している。そして、少なくとも第１伝達ギア１２５と第３伝達ギア１２７とを同じ形状（同じ歯数）の歯車で形成して、第１支持軸１３０と第３支持軸１３１とが同じ角速度、且つ同じ位相で回動するように構成されている。したがって、駆動機構１２０は、ブラシ１１６を第１支持軸１３０および第３支持軸１３１で球送り流路８４の傾斜方向へ沿って傾斜した姿勢で支持し、この支持状態でモータ１２１に通電すると、各伝達ギア１２５，１２６，１２７を回動して第１支持軸１３０および第３支持軸１３１を同じ回転方向、同じ角速度、同じ位相で回転して、傾斜姿勢を保ちながらブラシ１１６を上下方向へ回動することができる。
【００４６】
そして、駆動機構１２０によりブラシ１１６を移動して上死点に到達すると、ブラシ１１６の毛１１８が球送り流路８４内の遊技球に接触する状態（接触状態）となり、ブラシ１１６を移動して下死点に到達すると、ブラシ１１６の毛１１８が球送り流路８４内の遊技球から離れた状態（非接触状態）となる。したがって、ブラシ１１６と接触して遊技球の回転力が減衰したとしても、ブラシ１１６を非接触状態へ変換すれば、遊技球の回転が止まる不都合を抑えることができる。また、遊技球が球送り流路８４を流下して遊技球の回転力が増加した時点で、ブラシ１１６を接触状態へ変換すれば、再び遊技球を磨くことができる。このことから、遊技球の流下や回転を止めることなく、遊技球を掃除することができる。
【００４７】
このような構成の駆動機構１２０を備えた発射装置１７において、打球発射杵７３を弾発準備状態に設定するとともに球送り部材８８を球供給状態に設定して、球送り流路８４内の遊技球が滞留している状態では、駆動機構１２０によりブラシ１１６を下方へ移動して非接触状態に設定しておく（図７（ａ）参照）。この設定状態からロータリーソレノイド７４を駆動して打球発射杵７３が第１動作（弾発部１０３を球発射位置９０へ向けて移動する動作）を行い、球送り部材８８を球供給状態から球供給停止状態へ変換すると、球送り部材８８は、球保持部９９に球送り流路８４から流下した遊技球を１個保持する。この結果、球送り流路８４内の遊技球が下流の球送り部材８８側へ向けて流下する。このとき、ブラシ１１６が球送り流路８４内の遊技球から離れているので、遊技球を球保持部９９へ向けて流下し易くなり、遊技球の回転を促進することができる。そして、球送り部材８８を球供給状態から球供給停止状態へ変換して球送り流路８４内の遊技球が球送り部材８８側へ流下し始めたならば、駆動機構１２０を駆動してブラシ１１６を非接触状態から接触状態へ変換する（図７（ｂ）参照）。したがって、十分に回転した状態の遊技球にブラシ１１６を接触させることができ、遊技球の掃除を効率よく行うことができる。なお、このとき、モータ１２１の回転方向を調整して、第１支持軸１３０および第３支持軸１３１を後方から見て時計回りに回動するように設定すれば、上死点近傍でのブラシ１１６を遊技球の流下方向と同じ方向であって、回転する遊技球の下部の移動方向とは反対方向へ移動することができる。したがって、ブラシ１１６に対する遊技球の相対速度を増すことができ、ブラシ１１６が遊技球の表面を擦って掃除する効果を向上させることができる。
【００４８】
引き続き打球発射杵７３が第１動作を行って遊技球を発射し、さらに打球発射杵７３が第１動作を続けると、発射ストッパー１０４が回動規制部７５の第１規制部１０７に衝突（係合）し、打球発射杵７３の第１動作および回動範囲が規制される。打球発射杵７３の第１動作を規制したならば、ロータリーソレノイド７４を消磁して、自重により打球発射杵７３に球発射位置９０から離れる第２動作を行わせるとともに、球送り部材８８を回動して球供給停止状態から球供給状態へ変換する。このとき、図７（ｃ）に示すように、球送り部材８８が球供給停止状態から球供給状態へ変換する直前に、モータ１２１を駆動して第１支持軸１３０および第３支持軸１３１を後方から見て時計回りに回動し、上死点近傍で遊技球に接触した状態のブラシ１１６を遊技球の流下方向と同じ方向であって、回転する遊技球の下部の移動方向とは反対方向へ移動する。すなわち、ブラシ１１６と遊技球との接触状態を維持し、この維持状態で駆動機構１２０を駆動して、ブラシ１１６を回転状態の遊技球のうちブラシ１１６が接触する部分の移動方向とは反対方向へ移動して遊技球を制動する制動動作を実行する。すると、遊技球の掃除を効率よく行いながら遊技球の流下勢を抑えることができ、球供給状態へ変換した球送り部材８８のうち球送り流路８４を遮断する部分、具体的には球保持部９９の側方の部分に遊技球が衝突することを緩和することができ、遊技球が球送り部材８８に与える衝撃を軽減することができる。したがって、球送り部材８８の損傷や、球送り部材８８を伝達して球送り軸９８や球送りリンク部１１１等に加わる負荷を抑えることができ、遊技球を球発射位置９０へ安定して供給することができる。
【００４９】
なお、上記実施形態では、ブラシ１１６を球送り流路８４の下部に配置して、回転しながら流下する遊技球の下部を磨くように設定したが、本発明はこれに限定されない。例えば、ブラシ１１６を球送り流路８４の上部（詳しくは球支持突条部９３よりも上方に位置する上部）に配置して、回転しながら流下する遊技球の上部を磨くように設定してもよい。また、ブラシ１１６を駆動する駆動機構１２０は、ギアを用いた機構に限定されず、球送り流路８４を流下する遊技球に対してブラシ１１６を進退して接触状態と非接触状態とに変換可能とする機構、さらにはブラシ１１６を回転状態の遊技球のうちブラシ１１６が接触する部分の移動方向とは反対方向へ移動して遊技球を制動する制動動作を行える機構であれば、どのようなものでもよい。
【００５０】
さらに、上記実施形態では、遊技球を磨く球磨き部材をブラシ１１６としたが、本発明はこれに限らず、遊技球を磨けるものであればどのようなものでもよい。例えば、スポンジや布等を遊技球の表面に擦り付けて磨くことができる球磨き部材であってもよい。また、球磨き部材、および球磨き部材を駆動する駆動機構は、球送り流路８４に配置することに限定されず、遊技球を流下可能であれば、どのような傾斜流路に配置してもよい。
【００５１】
そして、上記実施形態では、代表的な遊技機であるパチンコ遊技機１を例にして説明したが、本発明はこれに限らず、遊技球を流下させる傾斜流路を備えた遊技機であればどのような遊技機でもよい。例えば、内部に封入した遊技球を循環させる封入球式パチンコ機、アレンジボール式遊技機、雀球式遊技機等の遊技機であってもよい。
【００５２】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００５３】
【図１】パチンコ遊技機の斜視図である。
【図２】貯留皿ユニットを開いた状態のパチンコ遊技機の下部の拡大斜視図である。
【図３】貯留皿ユニットの分解斜視図である。
【図４】（ａ）は発射装置の背面図、（ｂ）は球送り流路の断面図、（ｃ）は球送り流路内を流下する遊技球の説明図である。
【図５】（ａ）は打球発射杵を弾発準備状態に変換した発射装置の背面図、（ｂ）は打球発射杵を弾発状態に変換した発射装置の背面図である。
【図６】第２実施形態における流路蓋部およびブラシの説明図であり、（ａ）は背面図、（ｂ）は正面図、（ｃ）は断面図である。
【図７】第２実施形態における発射装置の説明図であり、（ａ）はブラシを非接触状態にした説明図、（ｂ）はブラシを接触状態にした説明図、（ｃ）は制動動作を行うブラシの説明図である。
【符号の説明】
【００５４】
１  パチンコ遊技機
３  前面枠
１４  貯留皿ユニット
１７  発射装置
３３  皿部材
３４  カバー部材
４０  球流下樋
４１  球抜機構
６０  球抜開口
６１  開閉部材
６３  開閉ユニット
６５  球抜流路
７２  発射ベース
７３  打球発射杵
７５  回動規制部
８４  球送り流路
８４ａ  流路基部
８４ｂ  流路蓋部
８８  球送り部材
９０  球発射位置
９１  発射連通路
９３  球支持突条部
９３ａ  第１球支持突条部
９３ｂ  第２球支持突条部
９８  球送り軸
９９  球保持部
１１６  ブラシ
１１７  ブラシ基部
１１８  毛
１２０  駆動機構
１２１  モータ
１２２  移動伝達部
１２３  伝達収容部
１２５  第１伝達ギア
１２６  第２伝達ギア
１２７  第３伝達ギア
１２８  ウォームギア
１３０  第１支持軸
１３１  第３支持軸
【図１】
0004566949.tif 000002
【図２】
0004566949.tif 000003
【図３】
0004566949.tif 000004
【図４】
0004566949.tif 000005
【図５】
0004566949.tif 000006
【図６】
0004566949.tif 000007
【図７】
0004566949.tif 000008